(57)【特許請求の範囲】
【請求項１】
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段とを備え、
前記制御手段は、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御することを特徴とする受信装置。
【請求項２】
前記第１の放送番組のコンテンツデータは、前記第１の放送番組の放送信号よりも遅く終了し、
前記制御手段は、前記第２の放送番組のコンテンツデータが前記第２の受信手段により受信できない場合、前記第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする請求項１に記載の受信装置。
【請求項３】
前記第１の放送番組のコンテンツデータは、前記第１の放送番組の放送信号よりも早く終了し、
前記制御手段は、前記第２の放送番組のコンテンツデータが前記第２の受信手段により受信できない場合、他のコンテンツデータを受信するように前記第２の受信手段を制御すると共に、前記第１の放送番組のコンテンツデータが終了してから、前記第２の放送番組の放送信号の開始まで、前記他のコンテンツデータを出力するように、前記出力手段を制
御することを特徴とする請求項１に記載の受信装置。
【請求項４】
前記制御手段は、前記第２の放送番組の放送信号の放送開始時間となった場合に、前記第２の放送番組の放送信号を受信するように前記第１の受信手段を制御すると共に、前記他のコンテンツデータから前記第２の放送番組の放送信号に切り替え、前記第２の放送番組の放送信号を出力するように、前記出力手段を制御することを特徴とする請求項３に記載の受信装置。
【請求項５】
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段とを備え、
前記制御手段は、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする受信装置。
【請求項６】
前記第１の放送番組のコンテンツデータは、前記第１の放送番組の放送信号よりも遅く終了し、
前記制御手段は、前記出力手段が前記第１の放送番組のコンテンツデータから前記第２の放送番組の放送信号に切り替えたことにより出力が停止された、前記第１の放送番組のコンテンツデータにおける停止位置に関する情報を記憶手段に記憶することを特徴とする請求項５に記載の受信装置。
【請求項７】
前記第１の放送番組のコンテンツデータから前記第２の放送番組の放送信号への切り替えをユーザに問い合わせる手段を備え、
ユーザが前記第１の放送番組のコンテンツデータから前記第２の放送番組の放送信号への切り替えを指示しない場合、前記制御手段は、前記第２の放送番組の放送信号の放送開始時間となった後も、前記第１の放送番組のコンテンツデータを出力するように、前記出力手段を制御することを特徴とする請求項５に記載の受信装置。
【請求項８】
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段と、
前記第１の放送番組の放送信号の終了時間と、前記第１の放送番組のコンテンツデータの終了時間とを検出する検出手段とを備え、
前記制御手段は、前記検出手段の検出結果に基づき、前記第１の放送番組のコンテンツ
データの終了時間が前記第１の放送番組の放送信号の終了時間よりも早い場合、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御し、
前記第１の放送番組のコンテンツデータの終了時間が前記第１の放送番組の放送信号の終了時間よりも遅い場合、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする受信装置。
【請求項９】
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御することを特徴とする受信装置の制御方法。
【請求項１０】
前記第１の放送番組のコンテンツデータは、前記第１の放送番組の放送信号よりも遅く終了し、
前記第２の放送番組のコンテンツデータが前記第２の受信手段により受信できない場合、前記第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする請求項９に記載の受信装置の制御方法。
【請求項１１】
前記第１の放送番組のコンテンツデータは、前記第１の放送番組の放送信号よりも早く終了し、
前記第２の放送番組のコンテンツデータが前記第２の受信手段により受信できない場合、他のコンテンツデータを受信するように前記第２の受信手段を制御すると共に、前記第１の放送番組のコンテンツデータが終了してから、前記第２の放送番組の放送信号の開始まで、前記他のコンテンツデータを出力するように、前記出力手段を制御することを特徴とする請求項９に記載の受信装置の制御方法。
【請求項１２】
前記第２の放送番組の放送信号の放送開始時間となった場合に、前記第２の放送番組の放送信号を受信するように前記第１の受信手段を制御すると共に、前記他のコンテンツデータから前記第２の放送番組の放送信号に切り替え、前記第２の放送番組の放送信号を出力するように、前記出力手段を制御することを特徴とする請求項１１に記載の受信装置の制御方法。
【請求項１３】
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする受信装置の制御方法。
【請求項１４】
前記第１の放送番組のコンテンツデータは、前記第１の放送番組の放送信号よりも遅く終了し、
前記出力手段が前記第１の放送番組のコンテンツデータから前記第２の放送番組の放送信号に切り替えたことにより出力が停止された、前記第１の放送番組のコンテンツデータにおける停止位置に関する情報を記憶手段に記憶することを特徴とする請求項１３に記載の受信装置の制御方法。
【請求項１５】
前記第１の放送番組のコンテンツデータから前記第２の放送番組の放送信号への切り替えをユーザに問い合わせ、
ユーザが前記第１の放送番組のコンテンツデータから前記第２の放送番組の放送信号への切り替えを指示しない場合、前記第２の放送番組の放送信号の放送開始時間となった後も、前記第１の放送番組のコンテンツデータを出力するように、前記出力手段を制御することを特徴とする請求項１３に記載の受信装置の制御方法。
【請求項１６】
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組の放送信号の終了時間と、前記第１の放送番組のコンテンツデータの終了時間とを検出し、
前記第１の放送番組のコンテンツデータの終了時間が前記第１の放送番組の放送信号の終了時間よりも早い場合、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御し、
前記第１の放送番組のコンテンツデータの終了時間が前記第１の放送番組の放送信号の終了時間よりも遅い場合、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする受信装置の制御方法。
【発明の詳細な説明】
【技術分野】
【０００１】
本発明は、コンテンツの受信装置とその制御方法に関する。
【背景技術】
【０００２】
ユーザが所望する時間に所望するコンテンツを視聴するビデオ・オン・デマンド（ＶＯＤ）が普及している。ＶＯＤでは、映画や過去にテレビ放送されたドラマ等のコンテンツが配信されている。
【０００３】
今後、ＶＯＤの更なる普及により、ＶＯＤコンテンツが放送番組と同時期に配信されるようになると予想される。そうすると、たとえば、ユーザが途中から視聴した放送番組に興味を持った場合に、ＶＯＤコンテンツの視聴に切り換えることで、冒頭から視聴しなおすことができるようになる。また、ユーザが放送番組の視聴中に早送りやスキップなどの操作を行いたいと思った場合に、ＶＯＤコンテンツに切り換えることで、放送番組の未放送部分の映像を視聴することが可能になる。つまりユーザは、リアルタイム放送の番組をあたかも録画番組のように自由に操作して視聴できるようになる。
【０００４】
特許文献１は、放送番組の視聴からＶＯＤコンテンツの視聴へ切り換える方法を開示する。特許文献１には、放送中の番組と同じＶＯＤコンテンツをアーカイブから取得して録画していない部分への巻き戻しや未放送部分への早送りを行う方法が記載されている。
【特許文献１】特開２００５−１３６９７４号公報
【発明の開示】
【発明が解決しようとする課題】
【０００５】
ＶＯＤコンテンツと放送番組は、時間長が完全に一致しているとは限らない。たとえば、ＣＭがカットされることで、放送番組よりもＶＯＤコンテンツの時間長のほうが短いことがある。逆に、放送番組ではカットされたシーンが追加されることで、ＶＯＤコンテンツの時間長のほうが長いこともある。また、時間長が同一であったとしても、視聴者が早送りや巻き戻し等の操作を行うことにより、ＶＯＤコンテンツの視聴が放送番組の終了時刻より早くあるいは遅く終わる可能性もある。
【０００６】
ＶＯＤコンテンツの視聴終了時刻と、放送番組の終了時刻とが異なる場合において、ＶＯＤコンテンツの視聴終了後に放送へ切り換えることを考えると、視聴者は次のような不便利を受ける。ＶＯＤコンテンツの視聴終了時刻が放送番組の終了時刻より早い場合、視聴者がＶＯＤコンテンツ終了後に放送へ切り換えると、既にＶＯＤで見終わったシーンを再度放送にて視聴することになる。また、ＶＯＤコンテンツの視聴終了時刻が放送番組の終了時刻より遅い場合、視聴者がＶＯＤコンテンツ終了後に放送へ切り換えると、ＶＯＤコンテンツで視聴した放送番組の、次の番組の途中から視聴することになる。これにより、番組の冒頭を見逃すといった問題が発生することになる。
【０００７】
特許文献１に記載の技術では上記課題については対策が施されていないため、上記説明した、ＶＯＤコンテンツの視聴終了時に放送番組へ切り換える際には、視聴者に対して様々な不便を与える可能性がある。
【０００８】
そこで、本発明は、放送番組と同じコンテンツをＶＯＤで視聴している際に、放送番組とＶＯＤコンテンツとの進行状況に差がある場合であっても、ＶＯＤコンテンツ視聴終了後の視聴者の不便利を軽減させる技術を提供することを目的とする。
【課題を解決するための手段】
【０００９】
本発明の第１態様は、
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段とを備え、
前記制御手段は、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御する
ことを特徴とする受信装置である。
【００１０】
本発明の第２態様は、
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段とを備え、
前記制御手段は、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御する
ことを特徴とする受信装置である。
【００１１】
本発明の第３態様は、
放送番組の放送信号を受信する第１の受信手段と、
前記放送番組のコンテンツデータを、ネットワークを介してサーバから受信する第２の受信手段と、
前記第１の受信手段により受信された放送信号と、前記第２の受信手段により受信されたコンテンツデータの一方を表示装置に出力する出力手段と、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御する制御手段と、
前記第１の放送番組の放送信号の終了時間と、前記第１の放送番組のコンテンツデータの終了時間とを検出する検出手段とを備え、
前記制御手段は、前記検出手段の検出結果に基づき、前記第１の放送番組のコンテンツデータの終了時間が前記第１の放送番組の放送信号の終了時間よりも早い場合、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御し、
前記第１の放送番組のコンテンツデータの終了時間が前記第１の放送番組の放送信号の終了時間よりも遅い場合、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御する
ことを特徴とする受信装置である。
【００１２】
本発明の第４態様は、
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテ
ンツデータを出力するように、前記出力手段を制御する
ことを特徴とする受信装置の制御方法である。
本発明の第５態様は、
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御する
ことを特徴とする受信装置の制御方法である。
本発明の第６態様は、
放送番組の放送信号を受信する第１の受信手段と、前記放送番組のコンテンツデータを、ネットワークを介してサーバから受信する第２の受信手段と、前記第１の受信手段により受信された放送信号と、前記第２の受信手段により受信されたコンテンツデータの一方を表示装置に出力する出力手段と、を備える受信装置の制御方法であって、
前記第１の受信手段により受信された第１の放送番組の放送信号の出力中に、出力の切り替えが指示された場合、前記第１の放送番組の放送信号から、前記第２の受信手段により受信された前記第１の放送番組のコンテンツデータに切り替え、前記第１の放送番組のコンテンツデータを出力するように、前記出力手段を制御し、
前記第１の放送番組の放送信号の終了時間と、前記第１の放送番組のコンテンツデータの終了時間とを検出し、
前記第１の放送番組のコンテンツデータの終了時間が前記第１の放送番組の放送信号の終了時間よりも早い場合、前記第１の放送番組に引き続く第２の放送番組のコンテンツデータを受信するように前記第２の受信手段を制御すると共に、前記第１の放送番組のコンテンツデータに切り替えた後、前記第１の放送番組のコンテンツデータに引き続いて前記第２の放送番組のコンテンツデータを出力するように、前記出力手段を制御し、
前記第１の放送番組のコンテンツデータの終了時間が前記第１の放送番組の放送信号の終了時間よりも遅い場合、前記第１の放送番組のコンテンツデータに切り替えた後、前記第１の放送番組に引き続く第２の放送番組の放送信号の放送開始時間となった場合に、前記第２の放送番組の放送信号を受信するように前記第１の受信手段を制御すると共に、前記第１の放送番組のコンテンツデータから前記第２の放送番組の放送信号に切り替え、前記第２の放送番組の放送信号を出力するように、前記出力手段を制御することを特徴とする受信装置の制御方法である。
【発明の効果】
【００１３】
本発明によれば、放送番組と同じコンテンツをＶＯＤで視聴している際に、放送番組とＶＯＤコンテンツとの進行状況に差がある場合であっても、ＶＯＤコンテンツ視聴終了後の視聴者の不便利を軽減させることができる。
【発明を実施するための最良の形態】
【００１４】
＜実施形態の概要＞
本発明の実施形態に係る受信装置は、放送される番組を受信し再生する放送受信手段（たとえば図１の放送受信・再生部１０１）を有する。また受信装置は、コンテンツアーカイブからコンテンツを取得するコンテンツ取得手段と、そのコンテンツを再生する再生手段と、を備える（たとえば図１のＶＯＤ受信・再生部１０２）。ここで、放送される番組とは、地上放送、衛星放送、ケーブル放送、ＩＰ放送などを介して配信される映像番組であり、リアルタイムでしか視聴できない（つまり再生位置や再生速度を変更できない）ものをいう。一方、コンテンツアーカイブから取得されるコンテンツは、たとえば、ＶＯＤサーバから提供されるＶＯＤコンテンツ、動画サイトからダウンロード可能な動画コンテンツ、放送される番組を録画することで得られた録画コンテンツ、などがある。
【００１５】
受信装置は、放送中の番組ではなく、放送中の番組と同内容のコンテンツをコンテンツアーカイブから取得し再生する機能を有する。ここで「同内容のコンテンツ」とは、完全に一致している映像でなくてもよく、解像度、圧縮率、色調などの映像品質に若干の相違がある映像であってもよい。すなわち、「同内容」とは、ユーザが視聴したときに実質的に同一にみえること、を意味する。
【００１６】
放送中の番組の時間長と再生中のコンテンツの時間長が異なっている場合や、再生中のコンテンツに対して再生位置や再生速度の変更が行われた場合、再生中のコンテンツと放送中の番組との間で終了時刻に差がでる可能性がある。そのような場合、再生中のコンテンツの終了とともに単純に放送に切りかえると、すでに視聴した映像が表示されたり、番組の冒頭を見逃したり、といった不便が生じる。
【００１７】
そこで、受信装置は、再生中のコンテンツと放送中の番組との間の終了時刻の差を検出する差分検出手段（たとえば図１の差分検出部１０６）と、差分検出手段の結果に基づき各種の制御を行う制御手段を備える。（後述する実施例では、コンテンツ検索部１０７、利用可否判断部１０８、再生制御部１０９等の協働により「制御手段」が構成される。）終了時刻に差がある場合、制御手段は、放送中の番組の次に開始する次番組と同内容のコンテンツをコンテンツアーカイブから取得するようにコンテンツ取得手段を制御する（取得制御）。そして、制御手段は、その次番組と同内容のコンテンツを、再生中のコンテンツに続いて再生するように、再生手段を制御する（再生制御）（実施例１〜３参照）。これにより、映像が適切に切り替わり、上述した視聴上の不便が解消される。もちろん、終了時刻に差がない場合は、制御手段は、再生中のコンテンツに続いて、放送の次番組を再生するように、放送受信手段を制御すればよい。
【００１８】
もし、次番組と同内容のコンテンツがコンテンツアーカイブから取得できない場合には、次のような再生制御を行うことができる。
【００１９】
（１）再生中のコンテンツが放送中の番組よりも早く終了する場合は、他のコンテンツ
をコンテンツアーカイブから取得し、再生中のコンテンツの終了後から次番組の開始までの間、他のコンテンツを再生する（実施例２参照）。他のコンテンツとしては、たとえば、ＣＦ（コマーシャルフィルム）、短時間の情報番組、ＶＯＤコンテンツ内のある一つのコーナー（シーン）などが想定される。これにより、コンテンツの再生終了から次番組の開始までの空き時間を埋めることができ、視聴上の不便が解消される。ここで、「他のコンテンツ」としては、再生中のコンテンツと放送中の番組との間の終了時刻の差に等しい時間長のコンテンツが、コンテンツアーカイブから取得されることが好ましい。これにより、再生中のコンテンツ→他のコンテンツ→次番組という映像の切り替わりに違和感がなくなるからである。
【００２０】
（２）再生中のコンテンツが放送中の番組よりも遅く終了する場合は、次番組の開始時刻に、再生中のコンテンツの再生を中断し、次番組の再生に切り換える（実施例３参照）。再生中のコンテンツは後から視聴し直すことが可能であるが、次番組は（同内容のコンテンツが取得できないため）視聴し直すことができないため、次番組の再生を優先するのである。これによりユーザの不利益を最小にできる。ただし、コンテンツの再生継続と次番組への切り換えのいずれがユーザにとって重要であるかは不明なため、コンテンツから次番組へ切り換えるか否かをユーザに問い合わせ、選択させることも好ましい。さらに、コンテンツの再生が中断された場合に、その中断位置からコンテンツの再生を再開するために必要な情報である中断情報を記憶部（メモリ）に記録する記録手段（たとえば図１２の中断情報記録部１２０２）を設けてもよい。これによりコンテンツの視聴再開が容易になるからである。
【００２１】
なお上記構成では、次番組と同内容のコンテンツを取得可能な場合はそのコンテンツを再生している。しかし、コンテンツよりも放送番組の再生を優先することが望ましい場合（通信負荷を軽減するため、コストを低減するため、など）は、次のような再生制御も可能である。すなわち、再生中のコンテンツが放送中の番組よりも早く終了する場合に、（同内容のコンテンツの有無に拘わらず）他のコンテンツをコンテンツアーカイブから取得し、その取得した他のコンテンツを空き時間に再生するのである。これにより、コンテンツの再生終了から次番組の開始までの空き時間を埋めることができ、視聴上の不便が解消される。
【００２２】
以下に図面を参照して、この発明の好適な実施の形態を例示的に詳しく説明する。まず図１８、図１９を参照して、映像表示システムの全体構成と受信装置の内部構成を説明する。その後、具体的な実施例１〜３を説明する。
【００２３】
（全体構成）
図１８は本発明の実施形態に係る映像表示システムの全体構成を示している。この映像表示システムは、受信装置１とモニタ６から構成される。
【００２４】
受信装置１は、アンテナ２を介して放送局（不図示）からの放送波を受信可能であるとともに、ネットワーク３を介してＶＯＤサーバ４（コンテンツアーカイブ）からＶＯＤコンテンツを受信可能である。また、受信装置１は、リモコン５から操作情報を受信し、チャンネルを選択したりＶＯＤコンテンツを再生したりメニュー画面を表示したりする。
【００２５】
（受信装置）
図１９は、図１８記載の受信装置１の内部構成を示したブロック図である。
【００２６】
メインデコーダ７は、チューナ８およびネットワークカード９より映像および音声データを受信し、映像出力回路１２へ映像信号を出力するとともに音声出力回路（不図示）へ音声信号を出力する。メインデコーダ７は、受信した映像データ・音声データの解析、デ
ータ分離、符号化されたデータのデコードを行う。また、メインデコーダ７は、受信装置１の内部状態および外部からの入力信号状態に応じて再生方法を変更する等の制御を行う。ここで、外部からの入力信号とは、リモコン５を介してのユーザ指示である。
【００２７】
チューナ８は、放送波を受信し放送信号を取り出す処理を行う。チューナ８は、メインデコーダ７より特定の周波数への選局が指示されると、その周波数へ選局し、周波数に含まれる放送信号を抽出し、メインデコーダ７へ転送する。チューナ８は、一般的なデジタルテレビにおいては、地上デジタル放送用チューナおよびＢＳ／広帯域ＣＳデジタル放送用チューナを指す。
【００２８】
ネットワークカード９は、ネットワーク３とのインタフェースとなるブロックである。ＶＯＤコンテンツは、ネットワークカード９を介して、メインデコーダ７へ送信される。
【００２９】
赤外線受光部１０は、リモコン５より送信される赤外線信号を受信し、メインデコーダ７へ受信信号を送信する。なお、本実施形態では赤外線によるリモコン５からの信号受信を行っているが、これに限らない。
【００３０】
メモリ１１は、メインデコーダ７およびその他構成回路によって作成されたデータを一時記憶する。メモリ１１の具体的な例としては、ＳＲＡＭ（Static Random Access Memory）、ＤＲＡＭ（Dynamic Random Access Memory）、フラッシュメモリ、ＥＥＰＲＯＭ（Electronically Erasable Programmable Read Only Memory）がある。
【００３１】
映像出力回路１２は、メインデコーダ７より出力された映像信号を受信し、モニタ６に適するフォーマットに変換して出力する。また映像信号の出力制御処理も担い、出力フレームレートに従いモニタ６へ映像信号を出力する。
【００３２】
内部バス１３は、受信装置１内の各構成ブロック間のデータ送受信を行う。
【００３３】
＜実施例１＞
（メインデコーダ）
図１は、本発明の実施例１に係る受信装置１のメインデコーダ７の内部機能ブロック図である。以下、図１を用いて各機能ブロックの説明を行なう。
【００３４】
放送受信・再生部１０１は、多重化された放送番組データを、アンテナ２から入力される放送波より受信して、映像・音声・データに分離する。放送受信・再生部１０１は、映像及び音声を復号して入力切換部１１０を介して図１９の映像出力回路１２やスピーカ（不図示）に出力し、データを番組属性情報に変換する。放送番組データは、番組を構成する映像信号や音声信号などを、ＭＰＥＧ２（Moving Picture Experts Group 2：カラー動画像符号化方式標準化グループの第２規格）トランスポート・ストリーム（Transport Stream：ＴＳ）方式を利用して多重化されている。放送受信・再生部１０１にて分離された映像及び音声は、ＭＰＥＧ２ Ｖｉｄｅｏ及びＭＰＥＧ２ Ａｕｄｉｏ方式により符号化されているため、同じく放送受信・再生部１０１にて、復号され、映像及び音声データとなる。また、番組属性情報とは、番組の放送チャンネルや番組タイトル等であり、電子番組表や番組推薦等において用いられる。この番組属性情報は、後述する番組情報管理部１０５へ送信され管理される。また、放送受信・再生部１０１は、番組属性情報に含まれる現在時刻や現在日付に基づき現在時刻を管理する機能も有する。
【００３５】
ＶＯＤ受信・再生部１０２は、所在指定されたＶＯＤコンテンツデータを、図１８のネットワーク３上のＶＯＤサーバ４より受信し、再生制御部１０９からの再生制御指示に従いコンテンツ再生を行なう。ここで上記所在とは、ネットワーク３上の情報資源に与えら
れた識別子であるＵＲＩ(Uniform Resource Identifier)である。再生制御指示とは、コ
ンテンツの冒頭からの再生やシーン再生などの絶対位置指定による再生制御指示、１５秒先へのスキップ再生などの相対位置指定による再生制御指示、早送り再生や一時停止などの再生速度の変更を行なう制御指示等が該当する。
【００３６】
ユーザインタフェース部１０３は、ユーザからの各種指示を受信し、指示に従った動作がなされるよう選局制御部１０４および再生制御部１０９へユーザ指示を通知する役目を担う。ここで、ユーザからの指示は、放送チャンネルの“選局指示”や上記再生制御指示等であり、通常図１８のリモコン５によりなされる。
【００３７】
選局制御部１０４は、ユーザインタフェース部１０３より受け取った選局要求に従った選局がなされるよう放送受信・再生部１０１へ指示する。選局要求は、リモコン５の特定ボタンの押下、電子番組表での選局操作等によって発生する。
【００３８】
番組情報管理部１０５は、放送中の番組や今後放送予定の番組の、番組属性情報を保持する。これらの番組属性情報は、放送受信・再生部１０１により定期的に更新される。
【００３９】
差分検出部１０６は、ＶＯＤ受信・再生部１０２から送信される、「番組進行対応表」、番組情報管理部１０５より送信される「番組属性情報」、及び放送受信・再生部１０１から送信される「現在時刻情報」を元に、差分検出を行なう。ここで、「差分」とは、現在放送中の番組の再生位置と、再生中のコンテンツの再生位置との差である。
【００４０】
上記「差分」について模式的に図２で示す。図２は、放送チャンネル２０１において、時刻Ｔ０から開始される番組２０２が放送されている時間帯に、番組２０２と同じ内容のＶＯＤコンテンツであるＶＯＤ２０３を再生する場合について示す図である。ＶＯＤ２０３はサーバ上のＶＯＤコンテンツであるため、様々な再生制御が可能となる。よって、例えば図２で示すように、ｃｆ２の時間長のコンテンツをスキップ処理することが可能である。ｃｆ２のスキップによってＶＯＤ２０３はＶＯＤ２０４で示される長さのＶＯＤコンテンツに変化し、この操作により、ＶＯＤ２０４と番組２０２との時間長に差分２０５が生じる。これが上記「差分」の一例である。また、上記「番組進行対応表」については後述する。
【００４１】
コンテンツ検索部１０７は、指定された番組に関する番組属性情報を番組情報管理部１０５より取得し、番組属性情報によって定義される番組が、ネットワーク３上のＶＯＤサーバ４にＶＯＤコンテンツとして存在しているかを検索する。検索結果は、後述する利用可否判断部１０８に送信され、利用可否判断部１０８よりコンテンツ所在情報がＶＯＤ受信・再生部１０２へ通知される。コンテンツ検索部１０７がコンテンツ検索を開始するトリガは、放送受信・再生部１０１または利用可否判断部１０８により発行される。
【００４２】
利用可否判断部１０８は、コンテンツ検索部１０７からの検索結果を元に、コンテンツの利用可否判断を実施し、利用可能であると判断した場合は、検索されたコンテンツの取得指示をＶＯＤ受信・再生部１０２へ発行する。
【００４３】
再生制御部１０９は、ユーザインタフェース部１０３より受信した、トリックプレイ等の再生制御要求に従った再生制御がなされるようＶＯＤ受信・再生部１０２へ指示する。ここで、トリックプレイとは、「１５秒先へのスキップ」や「早送り」等の再生位置を変更するものである。放送視聴中にトリックプレイ要求を受け取った場合は、ＶＯＤ再生への切換が実行される。
【００４４】
入力切換部１１０は、再生制御部１０９または利用可否判断部１０８からの切換指示に
従い、モニタへ出力する映像を切り換える処理を行なう。
【００４５】
（放送番組からＶＯＤコンテンツへの切替）
次に、放送番組視聴中に、同一内容のＶＯＤコンテンツ視聴へ遷移が発生する際の処理手順について、図３のフローチャートを用いて説明する。
【００４６】
図３は通常の放送番組の視聴状態から、ユーザ指示によりＶＯＤコンテンツ視聴へと遷移する際の処理フローを示している。本フローチャートの処理により、図２で示した例のように、放送の再生位置とＶＯＤの再生位置との差分が発生する。なお、図３で示すフローは、図１で示した各機能ブロックが協調動作を行なうことにより実現されるフローである。各機能ブロック間の制御信号は、図１の矢印によって示されている。また、図３のフローの各ステップにおいて、どの機能ブロックが処理動作を行なうかについては、各ステップの説明において記述する。
【００４７】
まず、ステップＳ３０１において、ユーザからの選局制御要求の発生有無が判定される。ユーザからの選局制御要求は、図１のユーザインタフェース部１０３を介し、リモコン５によって実行される。ユーザから選局制御要求が発生した場合、ステップＳ３０２へ進み、選局制御要求が発生しない場合はステップＳ３０５へ手順が移行する。
【００４８】
選局制御要求が発生していた場合、ステップＳ３０２において、ステップＳ３０１で発生したユーザからの選局制御要求に基づき、放送チャンネルの選局処理が実行される。ステップＳ３０２で実行される処理は、図１の選局制御部１０４を介して、放送受信・再生部１０１により実行される。放送受信・再生部１０１は、指示された放送チャンネルを取得するため、図１９のチューナ８を制御し、所望のチャンネルにチャンネル変更処理を行なった後、放送信号であるＭＰＥＧ２ＴＳを受信する。また、ＭＰＥＧ２ＴＳ内に含まれる映像・音声信号は放送受信・再生部１０１において復号処理され、図１の入力切換部１１０へ出力する。
【００４９】
次に、ステップＳ３０３において、選局後の放送チャンネルの、現在放送中の番組についての属性情報を放送信号より取得する。本取得処理は図１の放送受信・再生部１０１において実施される。また、取得された放送番組属性情報は、図１の番組情報管理部１０５に送信され、管理される。
【００５０】
ステップＳ３０４で、ステップＳ３０３において取得された放送番組属性情報を元に、ＶＯＤサーバから現在放送中のＶＯＤコンテンツと同一のコンテンツの検索処理及びコンテンツの取得処理が実施される。ステップＳ３０４で実施される処理は、図１のコンテンツ検索部１０７、利用可否判断部１０８及びＶＯＤ受信・再生部１０２により実施される。コンテンツ検索部１０７において、ＶＯＤサーバから同一のコンテンツを検索する処理が実施される。検索指示は放送受信・再生部１０１よりコンテンツ検索部１０７に対して発生する。検索した結果はコンテンツ検索部１０７から利用可否判断部１０８へ送信される。ここで送信される結果は、同一のコンテンツがＶＯＤサーバにおいて存在しているかどうかを示す情報、及び、存在している場合はそのＵＲＩ情報となる。利用可否判断部１０８は、コンテンツ検索部１０７から得た結果を元に、ＶＯＤ受信・再生部１０２へＶＯＤの取得指示を発行する。ステップＳ３０４では、同一のＶＯＤコンテンツをサーバ内で発見できた場合は、すぐにＶＯＤコンテンツの取得指示をＶＯＤ受信・再生部１０２へ発行する。
【００５１】
ステップＳ３０５は、ユーザからの再生制御要求の発生有無を判断する処理を行なう。ユーザからの再生制御要求は、図１のユーザインタフェース部１０３を介し、リモコン５によって実施される。ユーザから再生制御要求が発生した場合、ステップＳ３０６へ進み
、再生制御要求が発生しない場合はステップＳ３０１へ遷移する。
【００５２】
ステップＳ３０６では、ステップＳ３０４において放送番組と同一のＶＯＤコンテンツが取得できたか否かが判定される。同一のＶＯＤコンテンツがある場合は、ユーザの再生制御要求に対応可能であるため、ステップＳ３０７へ進み、同一のＶＯＤコンテンツがない場合はステップＳ３０１へ遷移する。
【００５３】
ステップＳ３０７〜Ｓ３１１までの処理は、放送番組の再生処理からＶＯＤコンテンツの再生処理へ遷移するために必要な、ＶＯＤコンテンツの再生位置（放送番組の再生位置とＶＯＤコンテンツの再生位置との差分情報）を検出する手順を示したものである。ステップＳ３０７〜Ｓ３１１までの処理は、図１の差分検出部１０６において実施される。
【００５４】
ステップＳ３０７では、現在選局中のチャンネル情報及び現在日時を放送受信・再生部１０１より取得する。
【００５５】
次に、ステップＳ３０８で、ステップＳ３０７によって取得したチャンネル情報及び現在日時を元に、現在放送中の番組の放送開始日時を取得する。放送開始日時情報は、放送番組属性情報の一種として、図１の番組情報管理部１０５に格納されている。
【００５６】
ステップＳ３０９で、ステップＳ３０７において取得した現在日時と、ステップＳ３０８で取得した放送開始日時を元に、現在放送がどれだけ進んでいるかを示す放送経過時間を算出する。放送経過時間は、現在日時から番組の放送開始日時を減算することにより算出される。
【００５７】
次に、ステップＳ３１０で、ステップＳ３０９により算出された放送経過時間と、番組進行対応表とを元に、ＶＯＤコンテンツの再生位置を算出する。ここで、番組進行対応表とは、ＶＯＤコンテンツに付随する情報であり、図１のＶＯＤ受信・再生部１０２から取得されるデータである。
【００５８】
番組進行対応表の例を図４に示す。図４は、ＶＯＤコンテンツ４０２に付随する番組進行対応表４０３を示す図である。番組進行対応表４０３は、ＶＯＤコンテンツ４０２と同一の内容である放送番組４０１の経過時間に対応するＶＯＤコンテンツの再生時刻を示すものである。放送番組４０１の経過時間より、ＶＯＤコンテンツの再生時刻の算出が可能となる。また、ＶＯＤコンテンツの再生時間より、現在のＶＯＤ再生位置が、実際の放送ではどの時刻で再生される予定であるかについても算出が可能となる。
【００５９】
ステップＳ３１０で実施されるＶＯＤコンテンツの再生位置算出方法を、図５を用いて説明する。図５は、図４で示された番組進行対応表を元に作成した、放送経過時間５０１とＶＯＤコンテンツ上の再生時刻５０２との対応を示す図である。図５で、例として放送経過時間が１３分であった場合、図５のグラフを利用して、ＶＯＤ再生位置が１２分であると算出することが可能となる。
【００６０】
以上ステップＳ３１０で算出されたＶＯＤ再生位置が、ステップＳ３１１において、図１の再生制御部１０９へ出力される。
【００６１】
ステップＳ３１２では、ステップＳ３１１によって取得したＶＯＤコンテンツ再生位置情報を元に、ＶＯＤコンテンツへの切り換え制御処理を実施する。ステップＳ３１２で示される処理は、図１の再生制御部１０９において実施される。再生制御部１０９は、差分検出部１０６より得たＶＯＤコンテンツ再生位置情報を元に、ＶＯＤ再生位置を決定し、ＶＯＤ受信・再生部１０２に対して再生開始指示を発行する。同時に、再生制御部１０９
は、入力切換部１１０に対し、放送波からの映像出力から、ＶＯＤコンテンツ再生の映像出力へと切り換える指示を送信する。以上ステップＳ３１２の処理により、放送番組の視聴からＶＯＤコンテンツへの再生へ切換処理が実行される。
【００６２】
上記遷移後は、放送番組の再生位置、つまり放送されている番組の進行位置とＶＯＤコンテンツの再生位置は異なっており、両者には差分が生じている。この差分はユーザの再生制御要求の種類により、放送番組の進行がＶＯＤコンテンツより遅れている状態と、放送番組の進行がＶＯＤコンテンツより進んでいる状態が考えられる。この差分を図６に示す。図６の差分６０４は、放送番組６０２内の領域内でスキップ処理を行なったことにより、放送の終了時刻より前に再生が終了することを示している。また図６の差分６０６は、放送番組６０２内のある箇所において、ユーザが一時停止処理を実施したことにより、放送の終了より後に再生が終了することを示している。なお、この差分はユーザの再生制御要求によっては、様々な値に変化する。
【００６３】
なお、図３は、放送番組を視聴している状態から、ＶＯＤコンテンツへの再生への遷移方法についての一例を示したものである。よって、図３で示した遷移方法のみに限らない。
【００６４】
（ＶＯＤコンテンツの再生）
次に、上記差分が発生している状態において、現在再生中のＶＯＤコンテンツの再生終了時における処理手順を、図７のフローチャートを用いて説明する。
【００６５】
図７は、放送波の放送番組視聴ではなく、ＶＯＤコンテンツの再生へと切り換えられた状態において、ＶＯＤコンテンツ再生中における処理及びＶＯＤコンテンツの再生が終了する際の処理について示す図である。図７に示される処理フローは、図１に示した機能ブロックが協調動作をすることによって実現される。以下、図７の各ステップについて個別に詳細に説明を加えていく。
【００６６】
まず、ステップＳ７０１において、現在放送中の放送番組の進行位置と、ＶＯＤ再生位置との差分検出が実施される。ステップＳ７０１の処理は図１の差分検出部１０６において実施される。また、差分検出方法は、前出の番組進行対応表に基づいて行なわれる。
【００６７】
次に、ステップＳ７０２において、差分が発生しているかどうかの判断処理が実施され、差分が発生していない場合はステップＳ７０１の処理が再度実行される。つまりステップＳ７０１とステップＳ７０２は、ＶＯＤコンテンツ再生中において、差分検出処理を定常的に実施していることを示す。なお、ステップＳ７０２の処理は、図１の差分検出部１０６において実行される処理である。
【００６８】
ステップＳ７０２で差分が発生していると検出された場合、ステップＳ７０３において現在放送中の番組の、次に開始される予定の放送番組と同一のＶＯＤコンテンツを検索する。ステップＳ７０３の処理は図１のコンテンツ検索部１０７において実行される。また検索処理のトリガは、ステップＳ７０２において差分が発生したと検出された場合、図１の利用可否判断部１０８へ差分検出信号が送信され、その後利用可否判断部１０８によりコンテンツ検索部１０７に対して行なわれる。コンテンツ検索部１０７は検索指示を受信した場合、まず図１の番組情報管理部１０５に対して、現在放送中の番組の、次に開始される番組の情報を取得する。この情報の具体的な例としては、放送波に重畳されるＳＩ（Service Information）の一種である、ＥＩＴ（Event Information Table）内に記載される情報が挙げられる。この情報は、図１の放送受信・再生部１０１によって定期的に受信され、番組情報管理部１０５に蓄積されている。次にコンテンツ検索部１０７は、取得した番組情報を利用して図１のネットワークカード９を介して、図１８のネットワーク３上
に位置するＶＯＤサーバ４に対して該当するＶＯＤコンテンツの検索処理を実施する。検索した結果はコンテンツ検索部１０７から利用可否判断部１０８へ送信される。ここで送信される結果は、同一のコンテンツがＶＯＤサーバ４において存在しているかどうかを示す情報、及び、存在している場合はそのＵＲＩ情報となる。
【００６９】
次に、ステップＳ７０４において、利用可否判断部１０８は、コンテンツ検索部１０７から得た結果を元に、ＶＯＤ受信・再生部１０２へＶＯＤの取得指示を発行する。ＶＯＤ受信・再生部１０２は取得指示に基づいてＶＯＤコンテンツをネットワーク３より取得する。
【００７０】
ステップＳ７０５では、再生中のＶＯＤコンテンツの終了判定を行なう。ＶＯＤコンテンツの長さは前出の番組進行対応表より取得可能である。ステップＳ７０５でＶＯＤコンテンツが終了したと判断された際は、ステップＳ７０７へ処理が移行する。ＶＯＤコンテンツが終了していない場合は、ステップＳ７０６で示されるように、ＶＯＤコンテンツの再生処理が継続され、再びステップＳ７０５でＶＯＤコンテンツの終了判定が繰り返される。なお、ＶＯＤコンテンツの終了判定処理は、図１の再生制御部１０９において行なわれる。また判定結果は、利用可否判断部１０８に送信される。
【００７１】
ステップＳ７０７では、ステップＳ７０１と同様の、差分検出処理が実施される。
【００７２】
ステップＳ７０８では、ステップＳ７０２と同様の、差分の有無についての判断が実施される。ステップＳ７０８において、差分があると判断された場合は、ステップＳ７０９に移行し、差分がないと判断された場合はステップＳ７１０へと手順が移行する。ステップＳ７０７及びステップＳ７０８で示される差分検出処理は、図１の差分検出部１０６において実施される。
【００７３】
ステップＳ７０９では、ステップＳ７０４にて取得されたＶＯＤコンテンツを、現在再生中のＶＯＤコンテンツ終了後に続けて再生するための処理が実施される。ステップＳ７０９における処理は、まず、図１の利用可否判断部１０８から図１の再生制御部１０９に対して、ＶＯＤコンテンツ再生制御指示が送信される。ここで送信される情報は、ステップＳ７０４にて取得したＶＯＤコンテンツを指定するための情報である。再生制御部１０９は、利用可否判断部１０８からの指示に従い、図１のＶＯＤ受信・再生部１０２を制御して既に取得済みのＶＯＤコンテンツの再生指示を行なう。また、同時に、再生制御部１０９は、図１の入力切換部１１０に対し、ＶＯＤ映像の再生を継続する指示を送信する。以上ステップＳ７０９における処理により、現在再生中のＶＯＤコンテンツの再生終了後、予め取得した次の放送番組と同内容のＶＯＤコンテンツの再生が開始される。
【００７４】
ステップＳ７１０では、ステップＳ７０８において差分がないと判断された場合に、ＶＯＤコンテンツの再生終了後、放送番組の再生へと切り換える処理を実施する。ステップＳ７１０の処理は、図１の再生制御部１０９より、ＶＯＤコンテンツの再生が終了したことを利用可否判断部１０８が受信することから開始される。その後、利用可否判断部１０８が、選局制御部１０４に対し、選局指示を発行する。ここで選局される放送チャンネルは、ＶＯＤコンテンツ再生を開始する以前に選局していた放送チャンネルである。その後、選局制御部１０４は、入力切換部１１０に対し、放送チャンネルの映像へと切り換える指示を発行する。入力切換部１１０は、指示に従い、放送チャンネルの映像表示へと切り換える。
【００７５】
（差分発生時の状態遷移）
図７の処理により、放送中の番組進行位置と、ＶＯＤの再生位置とに差分がある場合において、ＶＯＤコンテンツの再生終了時に、どのような状態に遷移するかを図８及び図９
によって示す。図８は、放送中の番組進行が、ＶＯＤ再生位置より遅れている場合について示す図であり、図９は、放送中の番組進行が、ＶＯＤ再生位置より進んでいる場合について示す図である。
【００７６】
図８において、放送チャンネル８０６は、放送番組８０１及びそれに続く次放送番組８０２を含んでいる。また、放送番組８０１と同内容のＶＯＤコンテンツがＶＯＤ番組８０３であり、次放送番組８０２と同内容のＶＯＤコンテンツが次ＶＯＤ番組８０４である。ここで、図８で示すように、ＶＯＤ番組８０３を再生している際に、ＶＯＤ番組８０３の再生が、放送番組８０１より進んでいる場合、差分８０５が発生する。この差分８０５が発生している状態で、ＶＯＤ番組８０３の再生終了後、放送チャンネル８０６へ選局すると、差分８０５の長さだけ既にＶＯＤ番組８０３で視聴したコンテンツの内容を、放送番組８０１によって視聴することになってしまう。しかし、図７のフローチャートで示したとおり、差分が発生している場合は、次に放送される番組と同内容のＶＯＤコンテンツである次ＶＯＤ番組８０４が予め取得される。そして、ＶＯＤ番組８０３再生後に続けて次ＶＯＤ番組８０４を再生することで、上記示した課題を解決することが可能となる。なお、次ＶＯＤ番組８０４は、図７のステップ７０４によって取得されたコンテンツである。
【００７７】
図９において、放送チャンネル９０６は、放送番組９０１及びそれに続く次放送番組９０２を含んでいる。また、放送番組９０１と同内容のＶＯＤコンテンツがＶＯＤ番組９０３であり、次放送番組９０２と同内容のＶＯＤコンテンツが次ＶＯＤ番組９０４である。ここで、図９で示すように、ＶＯＤ番組９０３を再生している際に、ＶＯＤ番組９０３の再生が、放送番組９０１より遅れている場合、差分９０５が発生する。この差分９０５が発生している状態で、ＶＯＤ番組９０３の再生終了後、放送チャンネル９０６へ選局すると、差分９０５の長さだけ、放送番組９０２の冒頭部分を見逃すことになってしまう。しかし、図７のフローチャートで示したとおり、差分が発生している場合は、次に放送される番組と同内容のＶＯＤコンテンツである次ＶＯＤ番組９０４が予め取得される。そして、ＶＯＤ番組９０３再生後に続けて次ＶＯＤ番組９０４を再生することで、上記示した課題を解決することが可能となる。なお、次ＶＯＤ番組９０４は、図７のステップ７０４によって取得されたコンテンツである。
【００７８】
以上説明の通り、本発明の実施例１では、放送視聴中にユーザからの再生制御要求によりＶＯＤコンテンツへの視聴に切り換わった状態において、ＶＯＤコンテンツの再生終了時に発生する、様々なユーザに対する不利益を解消することが可能となる。
【００７９】
＜実施例２＞
本発明の実施例２について、図面を用いて以下に説明する。実施例２は、放送番組と同内容のＶＯＤコンテンツを再生する際に、ＶＯＤコンテンツの再生が放送番組の進行より早い状態において、実施例１で説明した方法が利用できない場合に有効となる方法である。なお、実施例２が対象とする、ＶＯＤコンテンツの再生が放送番組の進行より早い状態の例としては、既出の図６で示したものが挙げられる。
【００８０】
実施例２を実現するための受信装置１と周辺装置との接続図は、実施例１において図１８で示したものと同様である。受信装置１の内部構成を示す図についても、図１９において示したものと同様である。また、図１９のメインデコーダ７内の機能ブロックについても、実施例１において示した図１と同様である。従って図１８、図１９及び図１の機能ブロックの説明は省略する。
【００８１】
実施例２を実施するための前提となる、放送番組視聴からＶＯＤコンテンツへの遷移についても、実施例１において説明を行なった、図３で示すフローチャートと同様である。よって、ＶＯＤコンテンツへの遷移についての説明も省略する。
【００８２】
本発明の実施例２の処理である、ＶＯＤコンテンツの再生が放送番組の進行より早い状態における、現在再生中のＶＯＤコンテンツの、再生終了時の処理手順を、図１０のフローチャートを用いて説明する。
【００８３】
図１０は、放送波の放送番組視聴ではなく、ＶＯＤコンテンツの再生へと切り換えられた状態において、ＶＯＤコンテンツ再生中における処理及びＶＯＤコンテンツの再生が終了する際の処理について示す図である。また、図１０で示す処理は、図１の各機能ブロックがそれぞれ協調動作をすることにより実現される。以下、図１０の各ステップについて個別に詳細に説明を加えていく。
【００８４】
まず、ステップＳ１００１において、現在放送中の放送番組の進行位置と、ＶＯＤ再生位置との差分検出が実施される。ステップＳ１００１の処理は図１の差分検出部１０６において実施される。また、差分検出方法は、前出の番組進行対応表に基づいて行なわれる。
【００８５】
次に、ステップＳ１００２において、差分が発生しているかどうかの判断処理が実施され、差分が発生していない場合はステップＳ１００１の処理が再度実行される。つまりステップＳ１００１とステップＳ１００２は、ＶＯＤコンテンツ再生中において、差分検出処理を定常的に実施していることを示す。ステップＳ１００２の処理は、図１の差分検出部１０６において実行される処理である。
【００８６】
ステップＳ１００２で差分が発生していると検出された場合、ステップＳ１００３において現在放送中の番組の、次に開始される予定の放送番組と同一のＶＯＤコンテンツを検索する。ステップＳ１００３の処理は図１のコンテンツ検索部１０７において実行される。また検索処理のトリガは、ステップＳ１００２において差分が発生したと検出された場合、図１の利用可否判断部１０８へ差分検出信号が送信され、その後利用可否判断部１０８によりコンテンツ検索部１０７に対して行なわれる。コンテンツ検索部１０７は検索指示を受信した場合、まず図１の番組情報管理部１０５に対して、現在放送中の番組の、次に開始される番組の情報を取得する。次にコンテンツ検索部１０７は、取得した番組情報を利用して図１８のネットワーク３上に位置するＶＯＤサーバ４に対して、該当するＶＯＤコンテンツの検索処理を実施する。検索した結果はコンテンツ検索部１０７から利用可否判断部１０８へ送信される。ここで送信される結果は、同一のコンテンツがＶＯＤサーバ４において存在しているかどうかを示す情報、及び、存在している場合はそのＵＲＩ情報となる。
【００８７】
ステップＳ１００４において、同内容のコンテンツがＶＯＤサーバ上で検索され、発見されたか否かを判断する。ステップＳ１００４の処理は、図１の利用可否判断部１０８において実施される。同内容のコンテンツがＶＯＤサーバ４上で利用可能であると判断された場合、ステップＳ１００５に移行する。利用不可であると判断された場合は、ステップＳ１００８へ移行する。
【００８８】
ステップＳ１００５において、利用可否判断部１０８は、コンテンツ検索部１０７から得た結果を元に、ＶＯＤ受信・再生部１０２へＶＯＤの取得指示を発行する。ＶＯＤ受信・再生部１０２は取得指示に基づいてＶＯＤコンテンツを図１８のネットワーク３より取得する。
【００８９】
ステップＳ１００６では、再生中のＶＯＤコンテンツの終了判定を行なう。ＶＯＤコンテンツの長さは前出の番組進行対応表より取得可能である。ステップＳ１００６でＶＯＤコンテンツが終了したと判断された際は、ステップＳ１０１５へ処理が移行する。ＶＯＤ
コンテンツが終了していない場合は、ステップＳ１００７で示されるように、ＶＯＤコンテンツの再生処理が継続され、再びステップＳ１００６でＶＯＤコンテンツの終了判定が繰り返される。ステップＳ１００６の終了判定処理は、図１の再生制御部１０９において実施される。また、判定結果は、再生制御部１０９より利用可否判断部１０８へ送信される。
【００９０】
ステップＳ１００４において、同内容のコンテンツがＶＯＤサーバ上で発見できないと判定された場合の処理手順を以下に示す。
【００９１】
ステップＳ１００８で、差分時間と同程度の長さのコンテンツを、ＶＯＤサーバより検索する処理が実施される。このコンテンツ検索処理の詳細は、ステップＳ１００３と同様であるが、検索条件のみ異なる。ステップＳ１００３では、検索条件として、現在放送中の次に開始される番組と同内容の番組を指定したが、ステップＳ１００８では、ステップＳ１００１で検出された差分と同程度の時間長を持つコンテンツを検索条件とする。ここで同程度の時間長とは、秒単位の精度は不要であることを示している。また、検索されるコンテンツの内容については後述する。検索されるコンテンツの例としては、ＣＦ、短時間での情報番組、ＶＯＤコンテンツ内のある一つのコーナー（シーン）が挙げられる。
【００９２】
ステップＳ１００９では、検索に使用した差分値を一時保存する処理を行なう。この差分値は、図１９のメモリ１１において一時保存される。ステップＳ１００９で示す、差分値を保存する処理は、利用可否判断部１０８において実行される。
【００９３】
ステップＳ１０１０で、検索されたＶＯＤコンテンツを、図１８のネットワーク３上のＶＯＤサーバ４より取得する。ステップＳ１０１０で実施される処理は、ステップＳ１００５において実施される処理と同様である。
【００９４】
ステップＳ１０１１で、再生中のＶＯＤコンテンツの終了判定を行なう。ステップＳ１０１１における処理は、ステップＳ１００６において実施される処理と同様である。ステップＳ１０１１において、ＶＯＤコンテンツの再生が終了したと判断された場合は、ステップＳ１０１５へ処理が移行する。ＶＯＤコンテンツの再生が終了していない場合は、ステップＳ１０１２へ移行し、ＶＯＤコンテンツの再生が継続される。
【００９５】
ステップＳ１０１３は、放送の進行位置とＶＯＤ再生位置との差分を再度検出する処理を行なう。ステップＳ１０１３で実施される処理は、ステップＳ１００１で実施される処理と同内容である。
【００９６】
ステップＳ１０１４では、ステップＳ１０１３で取得した差分値と、前記ステップＳ１００９で保存した差分値とを比較する。比較した差分値が異なっていた場合は、ステップＳ１００８で、再度新規に取得した差分時間と同程度の時間長のコンテンツが検索される。比較した差分値に変更がない場合は、ステップＳ１０１１へ移行し、ＶＯＤコンテンツの再生終了判定が繰り返される。なお、ステップＳ１０１４で実行される差分比較処理は、利用可否判断部１０８において実行される。
【００９７】
現在再生中のＶＯＤコンテンツについて、再生が完了した場合、ステップＳ１０１５で、ステップＳ１００１と同様の、差分検出処理が実施される。
【００９８】
ステップＳ１０１６では、ステップＳ１００２と同等の、差分の有無についての判断が実施される。ステップＳ１０１６において、差分があると判断された場合は、ステップＳ１０１７に移行し、差分がないと判断された場合はステップＳ１０２０へと手順が移行する。
【００９９】
ステップＳ１０１７では、ＶＯＤサーバから検索されたコンテンツが、次の放送と同内容のＶＯＤコンテンツであるのか、もしくは差分時間と同程度の時間長のＶＯＤコンテンツであるかの判定を行なう。ステップＳ１０１７の判断は、図１の利用可否判断部１０８が行なう。また、いずれのコンテンツであるかの判断は、利用可否判断部１０８の指示により、図１９のメモリ１１に予め記録されている情報を元に判断される。ステップＳ１０１７で、検索されたコンテンツが次の放送と同内容のものであると判断された場合、ステップＳ１０１８へ手順が移行する。差分時間と同程度の時間長のＶＯＤコンテンツであった場合、ステップＳ１０１９に移行する。
【０１００】
ステップＳ１０１８では、ステップＳ１００５にて取得されたＶＯＤコンテンツを、現在再生中のＶＯＤコンテンツ終了後に続けて再生するための処理が実施される。ステップＳ１０１８における処理は、まず、図１の利用可否判断部１０８から図１の再生制御部１０９に対して、ＶＯＤコンテンツ再生制御指示が送信される。ここで送信される情報は、ステップＳ１００５にて取得したＶＯＤを指定するための情報である。再生制御部１０９は、利用可否判断部１０８からの指示に従い、図１のＶＯＤ受信・再生部１０２を制御して既に取得済みのＶＯＤコンテンツの再生指示を行なう。また、同時に、再生制御部１０９は、図１の入力切換部１１０に対し、ＶＯＤ映像の再生を継続する指示を送信する。以上ステップＳ１０１８における処理により、現在再生中のＶＯＤコンテンツの再生終了後、予め取得した次の放送番組と同内容のＶＯＤコンテンツの再生が開始される。
【０１０１】
ステップＳ１０１９では、差分時間と同程度の長さのＶＯＤコンテンツを、現在再生中のＶＯＤコンテンツ終了後に続けて再生するための処理が実施される。ステップＳ１０１９で実施される処理内容は、ステップＳ１０１８にて実施される処理内容と同様であり、再生されるコンテンツのみ異なる処理である。
【０１０２】
ステップＳ１０２０では、ステップＳ１０１６において差分がないと判断された場合、またはステップＳ１０１９において、差分時間と同程度の長さのＶＯＤコンテンツについて再生が終了した後に、放送番組の再生へと切り換える処理を実施する。ステップＳ１０２０の処理は、図１の再生制御部１０９より、ＶＯＤコンテンツの再生が終了したことを利用可否判断部１０８が受信することから開始される。その後、利用可否判断部１０８が、選局制御部１０４に対し、選局指示を発行する。ここで選局される放送チャンネルは、ＶＯＤコンテンツ再生を開始する以前に選局していた放送チャンネルである。その後、選局制御部１０４は、入力切換部１１０に対し、放送チャンネルの映像へと切り換える指示を発行する。入力切換部１１０は、指示に従い、放送チャンネルの映像表示へと切り換える。
【０１０３】
（差分発生時の状態遷移）
図１０の処理により、放送中の番組進行位置と、ＶＯＤの再生位置とに差分がある場合において、ＶＯＤコンテンツの再生終了時に、どのような状態に遷移するかを図１１に示す。図１１は、放送中の番組進行が、ＶＯＤ再生位置より遅れている場合において、次番組の放送番組のＶＯＤコンテンツが存在しない場合について説明する図である。
【０１０４】
図１１において、放送チャンネル１１０６は、放送番組１１０１及びそれに続く次放送番組１１０２を含んでいる。また、放送番組１１０１と同内容のＶＯＤコンテンツがＶＯＤ番組１１０３である。ここで、図１１で示すように、ＶＯＤ番組１１０３を再生している際に、ＶＯＤ番組１１０３の再生が、放送番組１１０１より進んでいる場合、差分１１０５が発生する。この差分１１０５が発生している状態で、ＶＯＤ番組１１０３の再生終了後、放送チャンネル１１０６へ選局すると、差分１１０５の長さだけ、既にＶＯＤ番組１１０３で視聴したコンテンツの内容を、放送番組１１０１によって視聴することになっ
てしまう。しかし、図１０のフローチャートで示したとおり、差分が発生している状態で、次に放送される番組と同内容のＶＯＤコンテンツが発見できない場合は、差分時間と同じ長さのＶＯＤコンテンツである、差分時間ＶＯＤコンテンツ１１０４を取得しておく。そして、ＶＯＤ番組１１０３再生後に続けて差分時間ＶＯＤコンテンツ１１０４を再生することで、上記示した課題を解決することが可能となる。
【０１０５】
（差分時間ＶＯＤコンテンツ）
差分時間と同程度の長さのコンテンツ検索方法について、以下に説明を加える。なお、差分時間と同程度の長さのコンテンツ検索は、図１０のステップＳ１００８において実施される処理である。
【０１０６】
図１０のステップＳ１００８において検索されるコンテンツは、基本的には差分時間と同じ長さのコンテンツであればよく、それ以上の制約はない。しかし、差分が発生するまでのユーザの再生制御操作によって、検索するコンテンツを変更することを行なうことで、よりユーザにとっては有益なコンテンツの検索が可能となる。
【０１０７】
例えば、ユーザが、それまでの再生制御において、ＣＦのスキップ処理を頻繁に行なったことで、ＶＯＤコンテンツの進行状況が放送の進行状況より進んだ場合、差分時間の代替として検索するＶＯＤコンテンツを、スキップされたＣＦとは別のＣＦとする。ユーザがＣＦをスキップした理由として、ＶＯＤコンテンツに含まれているＣＦに興味を持っていないことが考えられる。よってこの方法により、ユーザに対し、少しでも興味を持つと思われるコンテンツを提供することが可能となる。
【０１０８】
また、ユーザの再生制御にＣＦスキップがなく、その他の理由でＶＯＤの進行が進んだ場合は、ＶＯＤコンテンツに含まれるＣＦと同じＣＦを検索し、ユーザに提供する方法をとる。この方法により、ユーザは、興味を持ったＣＦを繰り返し視聴することが可能となり、受信装置１は、ユーザにとって有意義なコンテンツの提供が可能となる。
【０１０９】
なお、上記説明は検索するコンテンツの種類を決定する一例を示すものであり、この方法のみに限らない。
【０１１０】
以上説明の通り、本発明の実施例２では、放送視聴中にユーザからの再生制御要求によりＶＯＤコンテンツへの視聴に切り換わった状態において、ＶＯＤコンテンツの再生終了時に発生する様々な、ユーザに対する不利益を解消することが可能となる。
【０１１１】
特に、ＶＯＤコンテンツ再生中に、次に予定されている放送番組のＶＯＤコンテンツが存在しない場合であり、かつ、ＶＯＤコンテンツの再生が、放送の進行より進んでいる場合において有効となる。
【０１１２】
＜実施例３＞
本発明の実施例３について、図面を用いて以下に説明する。実施例３は、放送番組と同内容のＶＯＤコンテンツを再生する際に、ＶＯＤコンテンツの再生が放送番組の進行より遅れている状態において、実施例１で説明した方法が利用できない場合に有効となる方法である。なお、実施例３が対象とする、ＶＯＤコンテンツの再生が放送番組の進行より遅い状態の例としては、既出の図６で示したものが挙げられる。
【０１１３】
実施例３を実現するための受信装置１と周辺装置との接続図は、実施例１において図１８で示したものと同様である。受信装置１の内部構成を示す図についても、図１９において示したものと同様である。よって上記図１８及び図１９の説明は省略する。
【０１１４】
実施例３を実現するためのメインデコーダ７の機能ブロック図を、図１２に示す。なお、図１２において、図１と同等の機能を持つ機能ブロックについては、図１と同じ番号を付与している。図１と同等の機能ブロックについての説明は省略し、ここでは、実施例３を実現するために追加された、新規機能ブロックについての説明のみ行なう。
【０１１５】
表示画像作成部１２０１は、利用可否判断部１０８からの指示により、モニタ６へメッセージなどの各種情報表示のための画像を作成する処理を行なう。表示画像作成部１２０１で作成された各種情報表示画像は、合成部１２０３へ送信される。表示画像作成部１２０１で作成されるメッセージ・アイコンの具体的な例は、ユーザに対して次の放送番組がまもなく開始される旨を示すメッセージや、ＶＯＤ再生を開始させるための方法を示すメッセージが挙げられる。これらのメッセージの詳細については後述する。
【０１１６】
中断情報記録部１２０２は、再生中のＶＯＤコンテンツを中断する際に、中断された位置から再生を再開することを可能とする中断情報を記録する。ここで、再開に必要となる中断情報とは、再生中のＶＯＤコンテンツのタイトル、ＵＲＩ、また、ＶＯＤ開始から中断位置までの時間等である。中断情報は、再生制御部１０９によって書き込み及び読み出しの制御が実行される。また、上記中断情報は、図１９のメモリ１１内に記録される。
【０１１７】
合成部１２０３は、表示画像作成部１２０１より作成された表示画像と、入力切換部１１０から送信される放送またはＶＯＤコンテンツ映像と、を合成する処理を行なう。合成された画像は、図１９の映像出力回路１２を介し、図１８のモニタ６へ送信され、視聴者に提示される。
【０１１８】
実施例３を実施するための前提となる、放送番組視聴からＶＯＤコンテンツへの遷移処理については、実施例１において説明を行なった、図３で示すフローチャートと同様である。よって、ＶＯＤコンテンツの再生状態への遷移についての説明は省略する。
【０１１９】
本発明の実施例３の処理である、ＶＯＤコンテンツの再生が放送番組の進行より遅れている状態における、現在再生中のＶＯＤコンテンツの、再生終了時の処理手順を、図１３のフローチャートを用いて説明する。
【０１２０】
図１３は、放送波の放送番組視聴ではなく、ＶＯＤコンテンツの再生へと切り換えられた状態において、ＶＯＤコンテンツ再生中における処理及びＶＯＤコンテンツの再生が終了する際の処理について示す図である。なお、図１３に示す処理フローは、図１に記載の機能ブロックがそれぞれ強調動作を行なうことにより実現される。以下、図１３の各ステップについて個別に詳細に説明を加えていく。
【０１２１】
まず、ステップＳ１３０１において、現在放送中の放送番組の進行位置と、ＶＯＤ再生位置との差分検出が実施される。ステップＳ１３０１の処理は図１２の差分検出部１０６において実施される。また、差分検出方法は、前出の番組進行対応表に基づいて行なわれる。
【０１２２】
次に、ステップＳ１３０２において、差分が発生しているかどうかの判断処理が実施され、差分が発生していない場合はステップＳ１３０１の処理が再度実行される。つまりステップＳ１３０１とステップＳ１３０２は、ＶＯＤコンテンツ再生中において、差分検出処理を定常的に実施していることを示す。
【０１２３】
ステップＳ１３０２で差分が発生していると検出された場合、ステップＳ１３０３において現在放送中の番組の、次に開始される予定の放送番組と同一のＶＯＤコンテンツを検索する。ステップＳ１３０３の処理は図１２のコンテンツ検索部１０７において実行され
る。また検索処理のトリガは、ステップＳ１３０２において差分が発生したと検出された場合、図１２の利用可否判断部１０８へ差分検出信号が送信され、その後利用可否判断部１０８によりコンテンツ検索部１０７に対して行なわれる。コンテンツ検索部１０７は検索指示を受信した場合、まず図１２の番組情報管理部１０５に対して、現在放送中の番組の、次に開始される番組の情報を取得する。次にコンテンツ検索部１０７は、取得した番組情報を利用して図１８のネットワーク３上に位置するＶＯＤサーバ４に対して該当するＶＯＤコンテンツの検索処理を実施する。検索した結果はコンテンツ検索部１０７から利用可否判断部１０８へ送信される。ここで送信される結果は、同一のコンテンツがＶＯＤサーバにおいて存在しているかどうかを示す情報、及び、存在している場合はそのＵＲＩ情報となる。
【０１２４】
ステップＳ１３０４において、同内容のコンテンツがＶＯＤサーバ上で検索され、発見されたか否かを判断する。ステップＳ１３０４の処理は、図１２の利用可否判断部１０８において実施される。同内容のコンテンツがＶＯＤサーバ上で利用可能であると判断された場合、ステップＳ１３０５に移行する。利用不可であると判断された場合は、ステップＳ１３１１へ移行する。
【０１２５】
ステップＳ１３０５において、利用可否判断部１０８は、コンテンツ検索部１０７から得た結果を元に、ＶＯＤ受信・再生部１０２へＶＯＤの取得指示を発行する。ＶＯＤ受信・再生部１０２は取得指示に基づいてＶＯＤコンテンツをネットワーク３より取得する。
【０１２６】
ステップＳ１３０６では、再生中のＶＯＤコンテンツの終了判定を行なう。ＶＯＤコンテンツの長さは前出の番組進行対応表より取得可能である。ステップＳ１３０６でＶＯＤコンテンツが終了したと判断された際は、ステップＳ１３０８へ処理が移行する。ＶＯＤコンテンツが終了していない場合は、ステップＳ１３０７で示されるように、ＶＯＤコンテンツの再生処理が継続され、再びステップＳ１３０６でＶＯＤコンテンツの終了判定が繰り返される。
【０１２７】
現在再生中のＶＯＤコンテンツについて、再生が完了した場合、ステップＳ１３０８で、ステップＳ１３０１と同様の、差分検出処理が実施される。
【０１２８】
ステップＳ１３０９では、ステップＳ１３０２と同等の、差分の有無についての判断が実施される。ステップＳ１３０９において、差分があると判断された場合は、ステップＳ１３１０に移行し、差分がないと判断された場合はステップＳ１３２１へと手順が移行する。
【０１２９】
ステップＳ１３１０では、ステップＳ１３０５にて取得されたＶＯＤコンテンツを、現在再生中のＶＯＤコンテンツ終了後に続けて再生するための処理が実施される。ステップＳ１３１０における処理は、まず、図１２の利用可否判断部１０８から図１２の再生制御部１０９に対して、ＶＯＤコンテンツ再生制御指示が送信される。ここで送信される情報は、ステップＳ１３０５にて取得したＶＯＤを指定するための情報である。再生制御部１０９は、利用可否判断部１０８からの指示に従い、図１２のＶＯＤ受信・再生部１０２を制御して既に取得済みのＶＯＤコンテンツの再生指示を行なう。また、同時に、再生制御部１０９は、図１の入力切換部１１０に対し、ＶＯＤ映像の再生を継続する指示を送信する。以上ステップＳ１３１０における処理により、現在再生中のＶＯＤコンテンツの再生終了後、予め取得した次の放送番組と同内容のＶＯＤコンテンツの再生が開始される。
【０１３０】
次に、ステップＳ１３０４において、同内容のコンテンツが図１８のＶＯＤサーバ４上で発見できない場合の処理手順を以下に示す。
【０１３１】
ステップＳ１３１１で、現在再生中のＶＯＤコンテンツと同内容である放送番組の、次に開始される放送番組の放送開始時刻についての確認を行なう。ステップＳ１３１１は図１２の利用可否判断部１０８において実施される。ステップＳ１３１１において、利用可否判断部１０８は、まず図１２の番組情報管理部１０５より、次に開始される放送の開始時刻を取得する。また、放送受信・再生部１０１より現在時刻を取得する。現在時刻と、次に開始される放送の開始時刻を比較し、放送開始の１０分前となったら、ステップＳ１３１３に移行する。また、１０分前より以前の時刻の場合は、ステップＳ１３１２において、引き続きＶＯＤコンテンツの再生を継続し、ステップＳ１３１１での時刻の確認を繰り返す。なお、図１３において、１０分という値は単なる例であり、他の値を用いてもよい。
【０１３２】
ステップＳ１３１３において、受信装置１は、次放送番組が開始される時刻に到達した際、ＶＯＤコンテンツの再生を中断し、放送番組へと切り換えるかどうかの選択を促すメッセージをユーザに提示する。ステップＳ１３１３の処理は、利用可否判断部１０８、表示画像作成部１２０１及び合成部１２０３において実施される。まず、利用可否判断部１０８が、表示画像作成部１２０１に対して、メッセージ作成依頼を送信する。表示画像作成部１２０１は、指示に従い、表示画像を作成し、合成部１２０３へ画像を送信する。合成部１２０３は、ＶＯＤコンテンツの再生映像と、表示画像作成部１２０１で作成された画像とを合成し、図１９の映像出力回路１２を介してモニタ６へ出力する。合成後の画像イメージを図１４に示す。
【０１３３】
ステップＳ１３１４では、次放送番組の放送開始時刻に到達したかどうかを判断する処理を行なう。ステップＳ１３１４で実施される処理は、ステップＳ１３１１で実施される、現在時刻と次番組の放送開始時刻との比較処理と同等である。ステップＳ１３１４において、放送番組の開始時刻に到達したと判断された際には、ステップＳ１３１６へ処理が移行する。放送番組の開始時刻に未到達の場合は、ステップＳ１３１５においてＶＯＤコンテンツの再生が継続され、再度、ステップＳ１３１４によって次放送番組の開始時刻に到達したかどうかの判断が繰り返される。
【０１３４】
ステップＳ１３１６では、次の放送番組の開始時刻となった場合に、ユーザからの選局指示が存在したか否かを判定する。ステップＳ１３１３において、ユーザにメッセージを提示し、判断を促す処理を行なっているが、その後のユーザ指示について、ステップＳ１３１６で判断する。なお、ユーザ指示は、図１２のユーザインタフェース部１０３を介し、利用可否判断部１０８に送信される。ユーザが、次の放送番組の開始時刻に到達した際、放送波の再生へ切り換えるという指示を行なっている場合は、ステップＳ１３１７へ移行する。それ以外はステップＳ１３１９へ移行する。
【０１３５】
ステップＳ１３１７において、ＶＯＤ再生を中断し、放送波への再生処理に切り換える。この際、ＶＯＤ再生の中断位置を後に利用可能とするため、ステップＳ１３１８において、ＶＯＤ中断情報を保存する処理を行なう。ステップＳ１３１８で実施される処理は、再生制御部１０９が、中断情報記録部１２０２に中断情報の書き込み依頼を発行することで実現される。なお、中断情報については前出のとおりである。
【０１３６】
ステップＳ１３１９及びステップＳ１３２０において、現在再生中のＶＯＤコンテンツの終了判定が実行される。現在再生中のＶＯＤコンテンツが終了した際には、ステップＳ１３２１へ処理が移行する。
【０１３７】
ステップＳ１３２１では、放送番組の再生へと切り換える処理を実施する。ステップＳ１３２１の処理は、図１２の再生制御部１０９より、ＶＯＤコンテンツの再生が終了したことを利用可否判断部１０８が受信することから開始される。その後、利用可否判断部１
０８が、選局制御部１０４に対し、選局指示を発行する。ここで選局される放送チャンネルは、ＶＯＤコンテンツ再生を開始する以前に選局していた放送チャンネルである。その後、選局制御部１０４は、入力切換部１１０に対し、放送チャンネルの映像へと切り換える指示を発行する。入力切換部１１０は、指示に従い、放送チャンネルの映像表示へと切り換える。
【０１３８】
（差分発生時の状態遷移）
図１３の処理により、放送中の番組進行位置と、ＶＯＤの再生位置とに差分がある場合において、ＶＯＤコンテンツの再生終了時に、どのような状態に遷移するかを図１５に示す。図１５は、放送中の番組進行が、ＶＯＤ再生位置より進んでいる場合において、次番組の放送番組のＶＯＤコンテンツが存在しない場合について説明する図である。また、図１３のステップＳ１３１３において説明を行なった、ユーザに対する選局是非の問い合わせに対し、選局すると回答を得た場合について説明を示した図である。
【０１３９】
図１５において、放送チャンネル１５０６は、放送番組１５０１及びそれに続く次放送番組１５０２を含んでいる。また、放送番組１５０１と同内容のＶＯＤコンテンツがＶＯＤ番組１５０３である。ここで、図１５で示すように、ＶＯＤ番組１５０３を再生している際に、ＶＯＤ番組１５０３の再生が、放送番組１５０１より遅れている場合、差分１５０５が発生する。この差分１５０５が発生している状態で、ＶＯＤ番組１５０３の再生終了後、放送チャンネル１５０６へ選局すると、差分１５０５の長さだけ、放送番組１５０２の冒頭部分を見逃すことになってしまう。しかし、図１３のフローチャートで示したとおり、差分が発生している状態で、次に放送される番組と同内容のＶＯＤコンテンツが無い場合、ユーザに対し選局是非を確認する。そして、「選局する」という指示を受けた場合は、放送番組の終了時刻に到達後、放送チャンネル１５０６へと切り換える。また、ＶＯＤ番組１５０３の中断情報１５０４を保存しておく。図１５で示すように、放送チャンネル１５０６へ切り換えることで、次放送番組１５０２を見逃すことなく視聴可能となる。
【０１４０】
（中断情報による視聴の再開）
次に、ＶＯＤコンテンツの中断時に保存した中断情報を利用する際のフローについて、図１６を用いて説明する。
【０１４１】
図１６は、ユーザがＶＯＤの視聴中断を指示し、放送波への視聴へと切り換えた状態において、中断したＶＯＤの視聴を再開する際のフローについて示したものである。
【０１４２】
まずステップＳ１６０１で、ユーザに対し、中断されたＶＯＤコンテンツの再生再開が可能であることを提示する。ステップＳ１６０１の処理は、図１２の利用可否判断部１０８が、表示画像作成部１２０１に対して、画像の作成を依頼し、合成部１２０３にて放送映像と合成がされた後に提示される。このステップＳ１６０１の処理を経てユーザに提示される画面のイメージを図１７に示す。なお、ステップＳ１６０１で示したメッセージ表示は、一定期間後に消去されるような構成をとっても良い。
【０１４３】
次に、ステップＳ１６０２において、ユーザから再生再開を指示する操作が発生しているか否かを確認する。ユーザからの操作信号は、図１２のインタフェース部１０３を介して、図１２の利用可否判断部１０８に送信される。ユーザからの操作信号が発生している場合はステップＳ１６０４へ移行し、発生しない場合は、ステップＳ１６０３にて放送番組の再生が継続される。
【０１４４】
中断の再開がユーザから指示された場合、ステップＳ１６０４において、中断情報の読み出しが実施される。中断情報の読み出しは、図１２の再生制御部１０９によって、図１
２の中断情報記録部１２０２より読み出される。なお、前出の通り、中断情報は図１９のメモリ１１内に記録されている。
【０１４５】
ステップＳ１６０５では、読み出された中断情報を元に、ＶＯＤコンテンツの再生が再開される。ステップＳ１６０５の処理は、再生制御部１０９において実施される。再生制御部１０９は、中断情報記録部１２０２より読み出した中断情報を利用して、ＶＯＤ受信・再生部１０２に対しＶＯＤコンテンツの再開指示を発行する。また、入力切換部１１０に対し、放送番組の映像から、ＶＯＤコンテンツの映像への切り換え指示を発行する。
【０１４６】
以上説明したとおり、図１６の処理手順に従えば、図１３のフローにおいて、ＶＯＤコンテンツを中断した場合においても、容易にＶＯＤコンテンツの視聴を再開させることが可能となる。
【０１４７】
以上説明の通り、本発明の実施例３では、放送視聴中にユーザからの再生制御要求によりＶＯＤコンテンツへの視聴に切り換わった状態において、ＶＯＤコンテンツの再生終了時に発生する、様々なユーザに対する不利益を解消することが可能となる。
【０１４８】
特に、ＶＯＤコンテンツ再生中に、次に予定されている放送番組のＶＯＤコンテンツが存在しない場合であり、かつ、ＶＯＤコンテンツの再生が、放送の進行より遅れている場合において有効となる。
【図面の簡単な説明】
【０１４９】
【図１】本発明の実施例１及び実施例２を実現するための、受信装置の機能ブロック図である。
【図２】本発明で扱う、放送番組の進行状況と、同内容のＶＯＤコンテンツの再生位置との差分を示す図である。
【図３】放送番組の視聴状態から、ユーザによる再生制御要求に基づき、ＶＯＤコンテンツの再生へと遷移させる処理手順例を示すフローチャートである。
【図４】放送番組と、それと同内容のＶＯＤコンテンツとの再生位置を関連付ける、番組進行対応表の例を示す図である。
【図５】番組進行対応表を元に、放送番組の経過時間からＶＯＤコンテンツの再生位置を算出する方法を説明する図である。
【図６】再生中のＶＯＤコンテンツが終了する際の、放送番組との再生位置の差分について説明する図である。
【図７】本発明の実施例１における、再生中のＶＯＤコンテンツが終了する際の処理手順を示すフローチャートである。
【図８】実施例１において、ＶＯＤコンテンツの再生位置が放送番組の再生位置より進んでいる状態において、ＶＯＤコンテンツ再生後の状態を説明する図である。
【図９】実施例１において、ＶＯＤコンテンツの再生位置が放送番組の再生位置より遅れている状態において、ＶＯＤコンテンツ再生後の状態を説明する図である。
【図１０】本発明の実施例２における、再生中のＶＯＤコンテンツが終了する際の処理手順を示すフローチャートである。
【図１１】実施例２において、ＶＯＤコンテンツの再生位置が放送番組の再生位置より進んでいる状態において、ＶＯＤコンテンツ再生後の状態を説明する図である。
【図１２】本発明の実施例３を実現するための、受信装置の機能ブロック図である。
【図１３】本発明の実施例３における、再生中のＶＯＤコンテンツが終了する際の処理手順を示すフローチャートである。
【図１４】ユーザに対するメッセージ表示画面の例を示すイメージ図である。
【図１５】実施例３において、ＶＯＤコンテンツの再生位置が放送番組の再生位置より遅れている状態において、ＶＯＤコンテンツ再生後の状態を説明する図である。
【図１６】ＶＯＤコンテンツの再生再開処理手順について示すフローチャートである。
【図１７】ユーザに対するメッセージ表示画面の例を示すイメージ図である。
【図１８】受信装置およびその周辺装置との接続について示す図である。
【図１９】受信装置内の各構成ブロックについて説明する図である。
【符号の説明】
【０１５０】
１  受信装置
４  ＶＯＤサーバ
６  モニタ
１０１  放送受信・制御部（放送受信手段）
１０２  ＶＯＤ受信・再生部（コンテンツ取得手段）
１０６  差分検出部（差分検出手段）
１０７  コンテンツ検索部
１０８  利用可否判断部
１０９  再生制御部
【図１】
0005078710.tif 000002
【図２】
0005078710.tif 000003
【図３】
0005078710.tif 000004
【図４】
0005078710.tif 000005
【図５】
0005078710.tif 000006
【図６】
0005078710.tif 000007
【図７】
0005078710.tif 000008
【図８】
0005078710.tif 000009
【図９】
0005078710.tif 000010
【図１０】
0005078710.tif 000011
【図１１】
0005078710.tif 000012
【図１２】
0005078710.tif 000013
【図１３】
0005078710.tif 000014
【図１４】
0005078710.tif 000015
【図１５】
0005078710.tif 000016
【図１６】
0005078710.tif 000017
【図１７】
0005078710.tif 000018
【図１８】
0005078710.tif 000019
【図１９】
0005078710.tif 000020